(57)【要約】【課題】本発明は、ブロック舗装の保水が長時間持続でき、かつ透水性舗装の機能をも併せて確保できる保水性ブロック舗装方法および保水性舗装用ブロックを提供することにある。【解決手段】長時間保水が持続でき、同時に透水性舗装の機能をも併せて確保できる保水性ブロック舗装方法および保水性舗装用ブロックを提供する方法として、底面に水平方向に貫通する複数の溝を有する保水性ブロックを敷設し、溝の一部に貯水槽に達する吸水材料を詰め、毛細管現象を利用して貯水槽の水をブロックに供給して、ブロックの保水を長時間持続させ、また、空目地から浸透した雨水を底面の別の空溝を通して、路盤へ浸透させて透水性舗装の機能を確保すると共に、保水用の貯水槽へ補給する。また、ブロックの沈下防止として、ブロック側面のオスメスによる噛み合わせブロックまたは強化板を用いて施工する保水性ブロック舗装方法と保水性舗装用ブロックを構成している。【選択図】  図３
2004156274.tif 000002
【特許請求の範囲】
【請求項１】
路盤層を形成した後、該路盤層の上にサンドクッション層を形成する路盤形成工程とこの路盤形成工程後にサンドクッション層の上部にブロックの側面にオスメスの噛み合わせの構造を持ち、ブロックの底面に１個または複数の水平方向に貫通する溝を有する保水性ブロックを敷設し、敷設した保水性ブロックの底面の溝の全部あるいは一部に吸水性材料を詰めるブロック敷設工程からなり、雨水をブロック表面または目地から浸透させ、浸透した雨水を保水性ブロック本体およびブロック底面の溝に詰めた吸水性材料に保水し、余分な雨水は、ブロック底面の吸水性材料を詰めない溝から排水・貯留または路盤へ浸透させることを特徴とする貯水型保水性ブロック舗装方法。
【請求項２】
路盤層を形成した後、該路盤層の上にサンドクッション層を形成する路盤形成工程とこの路盤形成工程後にサンドクッション層の上部にブロックの側面にオスメスの噛み合わせの構造を持ち、ブロックの底面に１個または複数の水平方向に貫通する溝を有する保水性ブロックを敷設し、敷設した保水性ブロックの底面の溝の全部あるいは一部に貯水槽に届く吸水性材料を詰めるブロック敷設工程からなり、雨水をブロック表面または目地から浸透させ、浸透した雨水を保水性ブロック本体およびブロック底面の溝に詰めた吸水性材料に保水し、余分な雨水は、ブロック底面の吸水性材料を詰めない溝から路盤へ浸透させ、また貯水槽に導いて溜め、吸水性材料に毛細管現象により、貯水槽から水が補給されることを特徴とする循環型保水性ブロック舗装方法。
【請求項３】
路盤層を形成した後、該路盤層の上にサンドクッション層を形成する路盤形成工程とこの路盤形成工程後にサンドクッション層の上部にブロックの底面に１個または複数の水平方向に貫通する溝を有する保水性ブロックを敷設し、敷設したブロックのクロス目地部に強化板を挿入し、敷設した保水性ブロックの底面の溝の全部あるいは一部に吸水性材料を詰めるブロック敷設工程からなり、雨水をブロック表面または目地から浸透させ、浸透した雨水を保水性ブロック本体およびブロック底面の溝に詰めた吸水性材料に保水し、余分な雨水は、ブロック底面の吸水性材料を詰めない溝から排水・貯留または路盤へ浸透させることを特徴とする貯水型保水性ブロック舗装方法。
【請求項４】
路盤層を形成した後、該路盤層の上にサンドクッション層を形成する路盤形成工程とこの路盤形成工程後にサンドクッション層の上部にブロックの底面に１個または複数の水平方向に貫通する溝を有する保水性ブロックを敷設し、敷設したブロックのクロス目地部に強化板を挿入し、敷設した保水性ブロックの底面の溝の全部あるいは一部に貯水槽に届く吸水性材料を詰めるブロック敷設工程からなり、雨水をブロック表面または目地から浸透させ、浸透した雨水を保水性ブロック本体およびブロック底面の溝に詰めた吸水性材料に保水し、余分な雨水は、ブロック底面の吸水性材料を詰めない溝から路盤へ浸透させ、また貯水槽に導いて溜め、吸水性材料に毛細管現象により、貯水槽から水が補給されることを特徴とする循環型保水性ブロック舗装方法。
【請求項５】
路盤層を形成した後、該路盤層の上にサンドクッション層を形成する路盤形成工程とこの路盤形成工程後にサンドクッション層の上部にブロックの側面にオスメスの噛み合わせの構造を持ち、ブロックの底面に１個または複数の水平方向に貫通する溝を有する保水性ブロックを敷設し、敷設した保水性ブロックの底面の溝の全部あるいは一部に吸水性材料を詰めるブロック敷設工程からなり、雨水をブロック表面または目地から浸透させ、浸透した雨水を保水性ブロック本体およびブロック底面の溝に詰めた吸水性材料に保水し、余分な雨水は、ブロック底面の吸水性材料を詰めない溝から排水・貯留または路盤へ浸透させることを特徴とする貯水型保水性ブロック舗装方法および路盤層を形成した後、該路盤層の上にサンドクッション層を形成する路盤形成工程とこの路盤形成工程後にサンドクッション層の上部にブロックの側面にオスメスの噛み合わせの構造を持ち、ブロックの底面に１個または複数の水平方向に貫通する溝を有する保水性ブロックを敷設し、敷設した保水性ブロックの底面の溝の全部あるいは一部に貯水槽に届く吸水性材料を詰めるブロック敷設工程からなり、雨水をブロック表面または目地から浸透させ、浸透した雨水を保水性ブロック本体およびブロック底面の溝に詰めた吸水性材料に保水し、余分な雨水は、ブロック底面の吸水性材料を詰めない溝から路盤へ浸透させ、また貯水槽に導いて溜め、吸水性材料に毛細管現象により、貯水槽から水が補給されることを特徴とする循環型保水性ブロック舗装方法に用いるブロック側面にオスメスのかみ合わせを有し、ブロックの底面に１個または複数の水平方向に貫通する溝を有することを特徴とする保水性舗装用ブロック。
【発明の詳細な説明】
【０００１】
【発明が属する技術分野】
本発明は、保水性ブロック舗装方法および保水性舗装用ブロックに関する。
【０００２】
【従来の技術】
従来の保水性ブロック舗装は、保水性のブロックを使用して、雨水をブロックに保水させる舗装方法が使用されている。
【０００３】
【発明が解決しようとする課題】
保水性ブロック舗装は、歩道又は歩車兼用道路において、雨水を一旦ブロック表層に保水し、保水した水が蒸発するときの気化熱を利用して周辺温度の低下を図り、ヒートアイランドの緩和対策を目的とした舗装である。従来の保水性ブロック舗装には，保水した水がすぐに蒸発してしまい持続的な保水ができないこと、保水性ブロック舗装は、透水性能が低く透水性舗装としての機能、すなわちブロック表面の水溜りの防止（バリアフリー対策）ができない、雨水を貯留する能力が低く、雨水を一時貯留する（都市河川負担軽減対策）ことができないなどの問題を有している。
【０００４】
本発明は以上のような従来の欠点に鑑み、持続的な保水あるいは保水期間の長い保水性ブロック舗装の提供と透水性舗装および貯水性舗装の機能をも併せて備える保水性ブロック舗装方法と本保水性ブロック舗装に用いる保水性舗装用ブロックを提供することを目的としている。
【０００５】
本発明の前記ならびにそのほかの目的と新規な特長は次の説明を添付図面と照らし合わせて読むとより完全に明らかになるであろう。ただし、図面はもっぱら解説のためのものであって、本発明の技術的範囲を限定するものではない。
【０００６】
【課題を解決するための手段】
上記の目的を解決するために、即ち、長期間あるいは持続的な保水が可能な保水性ブロック舗装、および保水性舗装と同時に透水性機能や貯水性機能を備えた保水性舗装を提供する方法として、ブロック側面にオスメスの噛み合わせ機能を持つブロックの使用またはブロック敷設時のクロス目地部に強化板を挿入する方法により、ブロックの沈下や段差を防ぎ、ブロック底面に１個あるいは複数の水平方向に貫通する溝を有する保水性ブロックを用い、ブロックの底面の溝の一部に吸水性材料を詰め、また吸水性材料の一部が貯水槽に達するように設置し、雨水は、目地から浸透し、吸水性材料に保水され、余分な雨水は、吸水性材料が詰められていない別の溝に貯留あるいは、路盤に浸透、あるいは貯水槽に導かれ、貯水槽の水は、吸水性材料の毛細管現象によって吸水性材料に補給され，吸水性材料の水は、保水ブロックに補給され，ブロックの保水が長期間持続される貯水型ないしは循環型保水性ブロック舗装方法および保水性舗装用ブロックを構成している。
【０００７】
【発明の実施の形態】
以下、図面に示す実施の形態により、本発明を詳細に説明する。
【０００８】
図１は、従来の保水性ブロック舗装と透水性ブロック舗装を説明する図である。保水性舗装図１（ａ）は、フィルター層１１の上の路盤１２に透水シート１３が敷かれ、その上にサンドクッション１４が敷きならされ、その上に保水性ブロック１５が敷設され、目地に目地砂１６が詰められる。雨水１７は、保水性ブロック１５の内部に間隙保水として蓄えられ、蒸発１８するときの気化熱を利用して周辺温度を低下させることを目的としいる。そのため、ブロック内部の空隙ないしは水路１１０、１１２は毛細現象を利用するため比較的小さく、また骨材１１３は比較的ポーラスである。透水性舗装図１（ｂ）は、フィルター層１１の上の路盤１２に透水シート１３が敷かれ、その上にサンドクッション１４が敷きならされ、その上に透水性ブロック１５１が敷設され、目地に目地砂１６が詰められる。雨水１７を速やかに路盤に浸透１９させ，雨天時の舗装面の水溜りを防ぎ、舗装内に一時的に貯水して都市河川の負担を低減することが目的である。そのため、ブロック内部の空隙１１１、１１４は比較的大きく、骨材１１５は緻密である。以上の説明で分かるように、従来の保水性ブロック舗装には、保水の持続が悪い、晴天時では１日しか効果がない、透水性舗装としての機能がなく、透水能力が低く、雨天時には、表面排水が増大する、水溜まりが起きやすい、貯留水量が小さくて都市河川の負担低減の効果が薄い等の問題を有している。
【０００９】
図２は、本発明の保水性ブロック舗装方法の一例である。路盤２１に透水シート２２が敷かれ、その上にサンドクッション２３が敷きならされ、その上に保水性ブロック２４が敷設され、目地２８には目地砂が詰められない。ブロック２４には、ブロックの底面に２個の水平方向に貫通する溝がつけられており、そのうちの一つの溝２５には、吸水材料２９が詰められている。ブロック２４の側面には、ブロック相互のかみ合わせを高めるためのオスメス２１４がつけられている。雨水２７は、ブロック表面およびオープンな目地２８から浸透し、まず、保水性ブロック２４と吸水材料２９に保水２１０される。余分な雨水は、吸水材料が詰められていない溝２６を通して貯留２１２ないしは路盤への浸透２１３がなされる。吸水材料２９に保水された水２１０は、ブロック２４を通して蒸発２１１し、そのときの気化熱で周辺温度を低下させる。本発明の保水性ブロック舗装は、保水ブロック中の保水量と吸水材料の保水量２１０とで、従来の保水性舗装より、保水の持続時間の長い貯水型保水性ブロック舗装を提供する。また、目地砂を使用しない空目地２８とブロック底面のオープンな溝２６により、透水性舗装としての機能を発揮する。ブロック側面のオスメス２１４による噛み合わせは、荷重分散効果を高め、ブロック相互の段差やガタツキを防いでバリアフリーな舗装を提供する。また、目地砂を使用しない空目地とすることを可能とし、雨水の目地からの浸透を良くする。
【００１０】
図３は、本発明の保水性ブロック舗装方法の別の例である。路盤３１に透水シート３２が敷かれ、その上にサンドクッション３３が敷きならされ、その上に保水性ブロック３４が敷設され、目地３８には目地砂が詰められない。ブロック３４には、ブロックの底面に２個の水平方向に貫通する溝がつけられており、そのうちの一つの溝３５には、貯水槽３１３に届く吸水材料３１１が詰められている。ブロック３４の側面には、ブロック相互のかみ合わせを高めるためのオスメス３１７がつけられている。雨水３７は、ブロック表面およびオープンな目地３８から浸透し、まず、保水性ブロック３４と吸水材料３１１に保水３１２される。余分な雨水は、吸水材料が詰められていない溝３６を通して貯留３９ないしは路盤への浸透３１０がなされ、また、貯水槽３１３に導かれ３１８て貯水される。貯水槽３１３に溜められた水３１４は、毛細管現象３１９により、吸水材料３１１を通してブロック３４に補給されて蒸発３１６し、そのときの気化熱で周辺温度を低下させる。本発明の保水性ブロック舗装は、保水ブロック中の保水量と貯水槽から毛細管現象により補給される吸水材料の保水量３１２とで、従来の保水性舗装より、保水の持続時間の長い循環型保水性ブロック舗装を提供する。また、目地砂を使用しない空目地３８とブロック底面のオープンな溝３６により、透水性舗装としての機能を発揮する。ブロック側面のオスメス３１７による噛み合わせは、荷重分散効果を高め，ブロック相互の段差やガタツキを防いでバリアフリーな舗装を提供する。また、目地砂を使用しない空目地とすることを可能とし、雨水の目地からの浸透を良くする。
【００１１】
図４は、本発明の保水性ブロック舗装方法の一例である。路盤４１に透水シート４２が敷かれ、その上にサンドクッション４３が敷きならされ、その上に保水性ブロック４４が敷設され、目地４９には目地砂が詰められない。ブロック４４には、ブロックの底面に２個の水平方向に貫通する溝がつけられており、そのうちの一つの溝４５には、吸水材料４１０が詰められている。ブロック４４が敷設されたときのクロス目地には強化板４７が挿入されている。雨水４８は、ブロック表面およびオープンな目地４９から浸透し、まず、保水性ブロック４４と吸水材料４１０に保水４１１される。余分な雨水は、吸水材料が詰められていない溝４６を通して貯留４１３ないしは路盤への浸透４１４がなされる。吸水材料４１０に保水された水４１１は、ブロック４４を通して蒸発４１２し、そのときの気化熱で周辺温度を低下させる。本発明の保水性ブロック舗装は、保水ブロック中の保水量と吸水材料の保水量４１１とで、従来の保水性舗装より、保水の持続時間の長い貯水型保水性ブロック舗装を提供する。また、目地砂を使用しない空目地４９とブロック底面のオープンな溝４６により、透水性舗装としての機能を発揮する。ブロック敷設時にクロス目地に挿入された強化板４７は、荷重分散効果を高め、ブロック相互の段差やガタツキを防ぎ、且つポンピング現象による砂の噴出しを防いでバリアフリーな舗装を提供する。また、目地砂を使用しない空目地とすることを可能とし、雨水の目地からの浸透を良くする。
【００１２】
図５は、本発明の保水性ブロック舗装方法に用いる保水性舗装用ブロックの説明図である。本保水性舗装用ブロック５１の特徴は、ブロック側面のオスメス構造５２，５３とブロック底面の溝５４にある。また、ブロック側面には目地キープ５５が取りつけられている。ブロック底面の溝つきブロックは、接地面積が小さくなり沈下して段差が発生しやすくなる問題があるが、ブロック側面のオスメス構造は、この問題点を解決してくれる。ブロックの目地に砂を詰めない空目地は、ブロック相互のかみ合わせが弱くなり、段差やガタツキが起きる問題があるが、ブロック側面のオスメス構造は、この問題点を解決してくれる。ブロックの底面には、水平方向に貫通する２個の溝５４がつけられている。一個は、保水性能を高めるものであり、他の一個は、透水性能を確保するためのものである。即ち，ブロック底面の溝に詰められた吸水材料５６は保水が高く、また、貯水槽からの毛細管現象による保水で、ブロック５１への水の補給を行い、蒸発による気化熱を利用した周辺温度の低下効果を長時間持続する。ブロック底面の別のオープンな溝５７は、降雨時に空目地から浸透した雨水を一旦貯留したり、路盤への浸透を助けて、透水性ブロック舗装としての機能を発揮する。また、同時に、貯水槽への水の供給パイプとしての役割を果たす。なお、ブロック底面の溝５４は、通常のブロック舗装において曲げやせん断などの強度を必要としない部分の贅肉を空隙に置き換えて溝を形成している。
【００１３】
図６は、本発明の保水性ブロック舗装方法に用いる別の保水性舗装用ブロックの説明図である。本保水性舗装用ブロック６１の特徴は、ブロック側面のオスメス構造６２、６３とブロック底面の突起６５がついた溝６４にある。また、ブロック側面には目地キープ６６が取りつけられている。ブロック底面の溝つきブロックは、接地面積が小さくなり沈下して段差が発生しやすくなる問題があるが、ブロック側面のオスメス構造は、この問題点を解決してくれる。ブロックの目地に砂を詰めない空目地は、ブロック相互のかみ合わせが弱くなり、段差やガタツキが起きる問題があるが、ブロック側面のオスメス構造は、この問題点を解決してくれる。ブロックの底面には、水平方向に貫通する２個の突起６５がついた溝６４がつけられている。それぞれの溝は、保水機能と透水機能を発揮する。即ち、ブロック底面の溝に詰められた吸水材料６７は、水を吸って膨張するが、溝の突起部６５でとまり、オープンな空間６８ができる。吸水材料６７は保水が高く、また、貯水槽からの毛細管現象による保水で、ブロック６１への水の補給を行い、蒸発による気化熱を利用した周辺温度の低下効果を長時間持続する。溝の中のオープンな個所６８は、降雨時に空目地から浸透した雨水を一旦貯留したり、路盤への浸透を助けて、透水性ブロック舗装としての機能を発揮する。また、同時に、貯水槽への水の供給パイプとしての役割を果たす。なお、ブロック底面の溝６４は、通常のブロック舗装において曲げやせん断などの強度を必要としない部分の贅肉を空隙に置き換えて溝を形成している。
【発明の効果】
以上の説明から明らかなように、本発明にあたっては次に列挙する効果が得られる。
【００１４】
ブロック側面にオスメスの噛み合わせ機能を持つブロックの使用またはブロック敷設時のクロス目地部に強化板を挿入し、ブロック底面に１個あるいは複数の水平方向に貫通する溝を有する保水性ブロックを用い、ブロックの底面の溝の一部に吸水性材料を詰め、また吸水性材料の一部が貯水槽に達するように設置する保水性ブロック舗装からなるので、ブロック側面にオスメスの噛み合わせ機能を持つブロックまたはブロック敷設時のクロス目地部に強化板により、ブロックの沈下や段差が発生しなく、目地砂を使用しない空目地とすることが可能である。雨水は、ブロック表面ないしは空目地から浸透し、保水性ブロックおよびブロック底面に詰められた吸水材料に保水される。また貯水槽から毛細管現象を利用して吸水材料を通してブロックに水が供給される。その結果、保水時間が持続する保水性ブロック舗装が提供される。一方、余分な雨水は、ブロック底面の吸水材料が詰められていない空溝を通して、一部は溝に貯留され、一部は路盤に浸透し、また一部は貯水槽に注がれて透水性舗装の機能を提供する。本発明の保水性ブロック舗装は、透水性舗装の機能を備えた、保水時間が長時間持続する保水性ブロック舗装を提供し、ヒートアイランドの緩和、段差や水溜まりの起きないバリアフリーな舗装の提供および雨水を一時貯留して都市河川の負担低減に効果を示す。
【００１５】
本発明の保水性ブロック舗装は、透水性舗装の機能を備えた、保水時間が長時間持続する保水性ブロック舗装を提供するほか、次の付属の効果を示す。目地幅が一定な空目地構造により、ブロックの差し替えが容易となりメンテナンス性が向上する。ブロックの無だ肉が空隙溝になりブロックの軽量化が図られ、温暖化対策に寄与する。強化板は廃プラスチック製であることからリサイクルに貢献する。
【図面の簡単な説明】
【図１】保水性ブロック舗装および透水性ブロック舗装構造の説明図。
【図２】本発明の貯水型保水性ブロック舗装構造の説明図。
【図３】本発明の循環型保水性ブロック舗装構造の説明図。
【図４】本発明の貯水型保水性ブロック舗装構造の説明図。
【図５】本発明の保水性舗装用ブロックの説明図。
【図６】本発明の保水性舗装用ブロックの説明図。
【符号の説明】
１１、フィルター層
１２、２１、３１、４１、砕石路盤
１３、２２、３２、４２、透水シート
１４、２３、３３、４３、サンドクッション
１５、２４、３４、４４、５１、６１、保水性ブロック
１５１、  透水性ブロック
２８、３８、４８９、空目地
１６  目地砂
１１０、１１１、１１２、１１４、ブロック内部の空隙、水路
２９、３１１、３１５、４１０、５６、６７、吸水材料
４７、強化板
２１４、３１７、５２、５３、６２、６３、ブロック側面のオスメス
２５、２６、３５、３６、４５、４６、５４、６４、ブロック底面の溝
６５、ブロック底面の溝の突起
５７、６８、ブロック底面の溝の空隙
１１３、１１５、骨材
５５、６６、目地キープ
３１３、貯水槽
３１４、貯水槽の水
３１８、貯水槽への導水
３１９、毛細管現象
１７、２７、３７、  ４８、雨水
１８、２１１、  ３１６、４１２、蒸発
２１０、３１２、４１１、保水
２１２、３９、４１３、貯留
１９、２１３、３１０、４１４、  浸透
【図１】
2004156274.tif 000003
【図２】
2004156274.tif 000004
【図３】
2004156274.tif 000005
【図４】
2004156274.tif 000006
【図５】
2004156274.tif 000007
【図６】
2004156274.tif 000008